(57)【特許請求の範囲】
【請求項１】
栽培ベッド内に栽培床を充填するとともに前記栽培ベッドにおける前記栽培床よりも下方に所要数の排水孔を設け、且つ、前記栽培ベッドに流水量調節手段を設けたわさびの栽培装置において、前記流水量調節手段として、前記栽培ベッドの底板に前記排水孔を穿ち、この排水孔の内側から外側に向かって防水シートを袋状に突出させるとともにこの突出した袋状の防水シート内に重り部材を収容し、且つ、前記栽培ベッドに防水シート破壊手段を設け、この防水シート破壊手段によって前記防水シートを破壊可能としたことを特徴とするわさびの栽培装置。
【発明の詳細な説明】
【０００１】
【産業上の利用分野】
この発明はわさびの栽培装置に関し、わさびの栽培に使用されるものである。
【０００２】
【従来の技術】
従来におけるこの種のわさび栽培装置にあっては、栽培床を充填した栽培ベッドを傾斜状態に配置し、この栽培床にわさび苗を植えた状態で、わさびの生育に応じた栽培用水（わさび栽培に適する水温、ＰＨＰ，ＥＣ等を満たす用水）をその高所側から流すことによって前記わさび苗に養分や溶存酸素を供給し、下所側から排水していた。
【０００３】
【発明が解決しようとする課題】
しかしながら、かかる従来のわさび栽培装置にあっては、前記栽培床中を流れる前記栽培用水が常に一定であったため、栽培床中に伸長・展開しているわさび苗の根には、養分や溶存酸素が供給されにくく、この結果、わさび苗が順調に成長しにくいという不都合を有した。
【０００４】
この発明の課題はこれらの不都合を解消することである。
【０００５】
【課題を解決するための手段】
【０００６】
この発明に係るわさびの栽培装置においては、栽培ベッド内に栽培床を充填するとともに前記栽培ベッドにおける前記栽培床よりも下方に所要数の排水孔を設け、且つ、前記栽培ベッドに流水量調節手段を設けたわさびの栽培装置において、前記流水量調節手段として、前記栽培ベッドの底板に前記排水孔を穿ち、この排水孔の内側から外側に向かって防水シートを袋状に突出させるとともにこの突出した袋状の防水シート内に重り部材を収容し、且つ、前記栽培ベッドに防水シート破壊手段を設け、この防水シート破壊手段によって前記防水シートを破壊可能としたため、当該排水孔に栽培用水が流れるようにして排水孔を増加させることができる結果、わさび苗の根の伸長・展開に連れて流水量を調節することができる。
【０００７】
【実施例】
図１はこの発明に係るわさび栽培装置の実施例の横断面図、図２は図１におけるＩＩ部拡大図、図３は使用状態図である。
【０００８】
図１において、Ｍはこの発明に係るわさびの栽培装置、１０はこのわさびの栽培装置の栽培ベッドである。この栽培ベッド１０は上端開口１１を有する箱状のものであり、水平面ＧＬに対して、略１／８０〜１／１００の傾斜の状態で配置されている。なお、栽培ベッド１０において、１２は底板、１３は前側板、１４は後側板である。
【０００９】
１５，１５，は主排水孔、１６，１６，…は補助排水孔であり、それぞれ前記栽培ベッド１０の底板１２に形成されている。この主排水孔１５および補助排水孔１６の機能は後記する。
【００１０】
２０は下方網板であり、前記栽培ベッド１０内における前記底板１２の上方に設置されている。この下方網板２０は小石層２１を支え、小石層２１における小石の流失を防止している。また、２２は上方網板であり、前記小石層２１の上面に設置されている。この上方網板２２は作土層２３を支え、作土層２３における作土の流失を防止している。この作土層２３は川砂等からなり、この発明の「栽培床」に相当する。Ｐはわさび苗であり、前記作土層２３に植えられている。なお、２５は供給管であり、前記栽培ベッド１０の上方側に配置されている。この供給管２５を介して、前記栽培ベッド１０に栽培用水が供給される。
【００１１】
次に、図１及び図２において、３０はビニルシート（この発明の「防水シート」に相当する）であり、前記補助排水孔１６，１６，…の内側から外側に向かって袋状に突出されている。この場合、前記ビニルシート３０の周縁部は、前記底板１２と前記下方網板２０とによって挟まれている。３１は小石（この発明の「重り部材」に相当する）であり、前記突出した袋状のビニルシート３０内に収容されている。３２は操作針金（この発明の「防水シート破壊手段」に相当する）であり、その先端は前記突出した袋状のビニルシート３０の根幹部に巻きかけられ、そして、前記栽培ベッド１０の底板１２に沿って前方側に延びている。作業者は、わさびの生育に応じ、この操作針金３２を前方向（図２において矢印方向）に引くことによって、前記ビニルシート３０を破壊し、この補助排水孔１６に栽培用水が流れるようにして、栽培用水の流水量を増加させることができる。なお、前記補助排水孔１６，前記ビニルシート３０、前記小石３１および前記操作針金３２がこの発明の「流水量調節手段」を構成している。
【００１２】
このわさびの栽培装置Ｍにおいて、前記供給管２５から栽培用水Ｗを栽培ベッド１０内に供給すると、栽培用水Ｗは作土の表面を流れて栽培ベッド１０の前側板１３から溢れ落ちるとともに、作土内に浸透し、小石層２１を通過して、主排水孔１５，１５，…、場合によって、主排水孔１５，１５，…及び補助排水孔１６，１６，…から排出される（図１における矢印を参照のこと）。
【００１３】
図３に示すように、このわさびの栽培装置Ｍを複数用意し、階段状に連続して配置することもできる。この場合、上段側の栽培装置Ｍから排出された栽培用水Ｗが下段側の栽培装置Ｍに順次供給されていく（図３における矢印を参照のこと）。３３は前記主排水孔１５，１５，…及び補助排水孔１６，１６，…から排出された栽培用水Ｗを受けて前方側に送水する樋である。なお、３４は支柱である。
【００１４】
【発明の効果】
この発明に係るわさびの栽培装置においては、栽培ベッド内に栽培床を充填するとともに前記栽培ベッドにおける前記栽培床よりも下方に所要数の排水孔を設け、且つ、前記栽培ベッドに流水量調節手段を設けたわさびの栽培装置において、前記流水量調節手段として、前記栽培ベッドの底板に前記排水孔を穿ち、この排水孔の内側から外側に向かって防水シートを袋状に突出させるとともにこの突出した袋状の防水シート内に重り部材を収容し、且つ、前記栽培ベッドに防水シート破壊手段を設け、この防水シート破壊手段によって前記防水シートを破壊可能としたため、当該排水孔に栽培用水が流れるようにして排水孔を増加させることができる結果、わさび苗の根の伸長・展開に連れて流水量を調節することができる。
【００１５】
よって、この装置を使用すれば、わさびの成長の応じてわさび苗の根の伸長・展開に連れて栽培床の浸透性が衰えても流水量を多くすることによって、わさび苗の根に養分や溶存酸素を充分に供給することができるものである。
【図面の簡単な説明】
【図１】この発明に係るわさび栽培装置の第一実施例の横断面図である。
【図２】図１におけるＩＩ部拡大断面図である。
【図３】使用状態図である。
【符号の説明】
Ｍ  …  わさびの栽培装置
Ｐ  …  わさび苗
Ｗ  …  栽培用水
１０  …  栽培ベッド内
１５  …  主排水孔（排水孔）
１６  …  補助排水孔（排水孔）（流水量調節手段）
２１  …  小石層（栽培床）
２３  …  作土層（栽培床）
３０  …  ビニルシート（防水シート）（流水量調節手段）
３１  …  小石３１（重り部材）（流水量調節手段）
３２  …  操作針金（防水シート破壊手段）（流水量調節手段）
【図１】
0003726177.tif 000002
【図２】
0003726177.tif 000003
【図３】
0003726177.tif 000004